(57)【要約】  本発明は、イヤーセット用防音ハウジング及びそれを備えるイヤーセットに関するものである。本発明は、耳内に挿入される突出部を有する前面ケースの内側に装着されて、スピーカーが収納されてスピーカー収納溝とマイクが収納されるマイク収納溝が形成されたハウジング本体；前記前面ケースと連通するように前記スピーカー収納溝に貫通形成され、前記スピーカーの出力が隣接して配置されるスピーカー出力ホール；前記前面ケースと連通するように前記マイク収納溝に陥没形成され、前記マイクの入力端と隣接して配置されるマイク入力ホール；および前記前面ケースの突出部の内側に密着して結合されるように前記ハウジング本体は前記前面ケースの突出部の内側に向かって長く突出形成されるイヤーセット用防音ハウジングを提供する。
2015511805.tif 000002
【特許請求の範囲】
【請求項１】
ケース本体と、前記ケース本体から延長されて耳内に挿入される突出部を有する前面ケースの内側に装着されて、スピーカーが収納されるスピーカー収納溝とマイクが収納されるマイク収納溝が形成されたハウジング本体；
前記前面ケースと連通するように前記スピーカー収納溝に貫通形成され、前記スピーカーの出力端が隣接して配置されるスピーカーの出力ホール；
前記前面ケースと連通するように前記マイク収納溝に陥没形成され、前記マイクの入力端と隣接して配置されるマイク入力ホール；及び
前記前面ケースの突出部の内側に密着して結合されるように前記ハウジング本体は前記前面ケースの突出部の内側に向かって長く突出形成されるイヤーセット用防音ハウジング。
【請求項２】
前記ケース本体の内側と前記突出部の内側は互いに連通しされ、前記突出部の外側は開放された形状を有し、前記スピーカー出力ホール及び前記マイク入力ホールは前記突出部の外側に直接露出される、請求項１に記載のイヤーセット用防音ハウジング。
【請求項３】
前記ハウジング本体は、
第１防音ハウジング；及び
前記第１防音ハウジングと着脱結合され、前記前面ケースの内側に装着される第２防音ハウジング；を含む、請求項１に記載のイヤーセット用防音ハウジング。
【請求項４】
前記第１防音ハウジングと前記第２防音ハウジングは内部に流入される騒音を遮蔽するように、ゴムリング、ボンド、嵌合のうちの少なくともいずれか一つの手段を利用して密閉される、請求項３に記載のイヤーセット用防音ハウジング。
【請求項５】
前記のスピーカー出力ホールと接するように前記第２防音ハウジングに段差を有するように陥没形成され、前記スピーカー出力端から出力された信号を前記スピーカー出力ホールに案内する出力ガイド部と、をさらに含む、請求項３に記載のイヤーセット用防音ハウジング。
【請求項６】
前記マイク入力ホールと接するように前記第２防音ハウジングに陥没形成され、前記マイク入力ホールから前記マイク入力端に入力される信号を案内する入力ガイド部と、をさらに含む、請求項３に記載のイヤーセット用防音ハウジング。
【請求項７】
前記マイク入力ホールと接するように前記第２防音ハウジングに外側に突出するように形成され、前記マイク入力ホールから前記マイク入力端に入力される信号を案内する入力ガイド部と、をさらに含む、請求項３に記載のイヤーセット用防音ハウジング。
【請求項８】
前記第２防音ハウジングに貫通形成され、前記マイク入力端の背面に信号が入力されるようにする少なくとも一つのバックホール；及び
前記バックホールの内側または外側のうちの少なくともいずれか一つに段差を有するように、前記第２防音ハウジングに陥没形成されるバックホールガイド部；をさらに含む、請求項３に記載のイヤーセット用防音ハウジング。
【請求項９】
前記スピーカー収納溝と前記マイク収納溝の断面は正方形、長方形、円形、楕円形のうちの少なくともいずれか一つの形状を含む、請求項１に記載のイヤーセット用防音ハウジング。
【請求項１０】
ケース本体と、前記ケース本体から延長されて、耳内に挿入される突出部を有する前面ケースの内側に装着されてスピーカーが収納されるスピーカー収納溝とマイクが収納されるマイク収納溝が形成されたハウジング本体を含むイヤーセット用防音ハウジングにおいて、
前記ハウジング本体には、前記前面ケースと連通するように前記スピーカー収納溝に貫通形成され、前記スピーカーの出力端が隣接して配置されるスピーカーの出力ホール；及び前記前面ケースと連通するように前記マイク収納溝に陥没形成され、前記マイクの入力端と隣接して配置されるマイク入力ホール；が備わって、
前記ハウジング本体は、前記前面ケースの突出部の内側に密着して結合されるように前記前面ケースの突出部の内側に向かって長く突出形成され、スピーカーが収納されるスピーカー収納溝が形成されたスピーカーハウジング部分と、マイクが収納されるマイク収納溝が形成されたマイクハウジング部分が分離して形成されるイヤーセット用防音ハウジング。
【請求項１１】
前記防音ハウジングには前記前面ケースとの結合方向を案内する表示部が形成される、請求項１乃至請求項１０のうちのいずれか一項に記載のイヤーセット用防音ハウジング。
【請求項１２】
ケース本体と、前記ケース本体から延長され耳内に挿入される突出部を有する前面ケースの内側に装着されて、スピーカーが収納されるスピーカー収納溝とマイクが収納されるマイク収納溝が形成されたハウジング本体；  
前記前面ケースと連通するように前記スピーカー収納溝に陥没形成され、前記スピーカーの出力が隣接するスピーカー出力ホール；
前記前面ケースと連通するように前記マイク収納溝に陥没形成され、前記マイクの入力端と隣接するマイク入力ホール；及び
前記のスピーカー収納ホーム、前記マイク収納ホームのうちの少なくともいずれか一つに段差を有するように陥没形成され前記スピーカー出力ホールまたは前記マイク入力ホールを介して移動する信号を案内するガイド部と、を含むイヤーセット用防音ハウジング。
【請求項１３】
前記ハウジング本体は、スピーカーが収納されるスピーカー収納溝が形成されたスピーカーハウジング部分と、マイクが収納されるマイク収納溝が形成されたマイクハウジング部分が分離して形成される、請求項１２に記載のイヤーセット用防音ハウジング。
【請求項１４】
請求項１乃至請求項１３のうちのいずれか一項のイヤーセット用防音ハウジングを備える有無線イヤーセット。
【請求項１５】
ケース本体と、前記ケース本体から延長されて耳内に挿入される突出部を有する前面ケース；
前記前面ケースと着脱結合される背面ケース；
前記背面ケースの内側に装着される第１防音ハウジング；及び
前記第１防音ハウジングと着脱結合され、スピーカーが収納されるスピーカー収納溝とマイクが収納されるマイク収納溝が形成され、前記スピーカーの出力端が隣接して配置されるスピーカーの出力ホールと前記マイクの入力端と隣接して配置されるマイク入力ホールが形成される第２防音ハウジング；を含み、
前記第２防音ハウジングは、前記前面ケースの前記突出部の内側に密着して結合されるように前記前面ケースの突出部の内側に装着され、前記前面ケースと前記背面ケース、または前記第１防音ハウジングと前記第２防音ハウジングは外部の騒音が流入されることを防止するようにゴムリング、ボンド、嵌合のうちの少なくともいずれか一つの手段を用いて互いに密閉される有無線イヤーセット。
【請求項１６】
前記前面ケースの前記突出部は前記マイク入力ホール及び前記スピーカー出力ホールに対応する貫通孔が形成されて、
前記貫通孔に接する前記突出部に段差を有するように陥没形成され、前記耳から入力される信号を案内する入力ガイド部をさらに含む、請求項１５に記載の有無線イヤーセット。
【請求項１７】
前記第２防音ハウジングに貫通形成され、前記マイク入力端の背面に信号が入力されるようにする少なくとも一つのバックホール；及び
前記少なくとも一つのバックホールに対応するように、前記突出部に貫通形成される背面マイクホール；をさらに含み、
前記入力ガイド部は前記背面マイクホールに接する前記突出部にも形成される、請求項１６に記載の有無線イヤーセット。
【請求項１８】
ケース本体と、前記ケース本体から延長されて耳内に挿入される突出部と、前記突出部の内側に形成されスピーカーが収納されるスピーカー収納溝と、マイクが収納されるマイク収納溝、前記スピーカーの出力端が隣接して配置されるスピーカー出力ホール、前記マイクの入力端と隣接して配置されるマイク入力ホールを備える前面ケース；及び
前記前面ケースと着脱結合される背面ケース；を含む有無線イヤーセット。
【発明の詳細な説明】
【技術分野】
【０００１】
本発明は、マイクとスピーカーが一体に構成されて耳内挿入型で使用される有無線イヤーセットに関するもので、より詳細には、イヤーセットの内部に装着され、外部の騒音の流入を防止して防水の機能を持つイヤーセット用防音ハウジングとそれを備える有無線イヤーセットに関するものである。
【背景技術】
【０００２】
一般に、イヤーセット（ｅａｒｓｅｔ）はイヤホン（スピーカー）とマイクロホン（マイク）を組み合わせた音声送受信装置で、ＭＰ３プレーヤー、携帯電話などの電子機器に有線または無線で接続されてユーザーの耳と口を介して音響、音声などの音が送受信される。
【０００３】
一般的な形のイヤーセットは音を出力するスピーカーがユーザーの耳に挿入されてマイクがユーザーの口に近い位置にある分離型で、スピーカーとマイクの位置が互いに離れて構成される。これらの一般的な形のイヤーセットはバッグやポケットの中に電子機器を入れた状態でも両手を自由にしながら、音楽の聴取、通話などをすることができる利便性のために広く使用されている。
【０００４】
しかし、一般的な形のイヤーセットは、騒音の激しい場所や、ユーザーが体を動かす場合には、耳に差し込んでスピーカーが外れたり、マイクの位置が揺れるので音が正確に伝達されないという問題がある。
【０００５】
これらの問題を改善するためにスピーカーとマイクともに耳内に挿入されて、騒音の激しい場所でも音を正確に伝達することができる形の一体型イヤーセットが開示されている。
【０００６】
図１は、従来の一実施形態に係る一体型イヤーセットの概略的な構成図である。
図１に示すように、一体型イヤーセット１は、ユーザーの耳内に挿入されるケース２の内部にスピーカー３とマイク４が一緒に構成されている。ケーブル６の一端に接続されたコネクタ５が電子機器７に装着され、スピーカー３とマイク４はケーブル６と電気的に接続される。したがって、スピーカー３は音をユーザーの外耳道に出力することができ、ユーザーの口から発生する音は外耳道を介してマイク４に伝達された後、電気信号に変換され電子機器７に伝達されることができる。
【０００７】
ところが、このような一体型イヤーセット１も、外部の騒音がケース２の内部に流入されてエコー現象またはハウリング現象が発生したり、スピーカー３とマイク４による干渉またはケース２の内部で振動騒音が発生して音質が低下するという問題がある。
【発明の開示】
【発明が解決しようとする課題】
【０００８】
したがって、本発明は、前述した問題点を含めてさまざまな問題を解決するためのもので、その目的は、外部の騒音の流入によるエコー現象及びハウリング現象を遮断することができ、スピーカーとマイクによる振動騒音の発生を減らし、音質を向上させることができるイヤーセット用防音ハウジング及びそれを備える有無線イヤーセットを提供することにある。
【０００９】
また、本発明の他の目的は、防音ハウジングの内部でスピーカー及びマイクをより簡単かつ迅速に装着することができ、ケースとの組立性を改善して内部の密閉力を向上させることができるイヤーセット用防音ハウジング及びそれを備える有無線イヤーセットを提供することにある。
【００１０】
また、本発明の他の目的は、外部の騒音の流入を防止して、防水の機能を持つイヤーセット用防音ハウジング及びそれを備える有無線イヤーセットを提供することにある。
【００１１】
また、本発明の他の目的は、ハウジング本体を、スピーカーが収納されるスピーカー収納溝が形成されたスピーカーハウジング部分と、マイクが収納されるマイク収納溝が形成されたマイクハウジング部分に分離して形成されることにより、スピーカーの外形寸法を大きくすることができるようにして、音声と音質の品質を向上させることができるイヤーセット用防音ハウジング及びそれを備える有無線イヤーセットを提供することにある。
しかし、本発明の目的は、上記に記載された目的のために制限されず、言及されていない他の目的は以下の記載から当業者に明確に理解されるだろう。
【課題を解決するための手段】
【００１２】
本発明は、ケース本体と、前記ケース本体から延長されて耳内に挿入される突出部を有する前面ケースの内側に装着されて、スピーカーが収納されるスピーカー収納溝とマイクが収納されるマイク収納溝が形成されたハウジング本体；前記前面ケースと連通するように前記スピーカー収納溝に貫通形成され、前記スピーカーの出力端が隣接して配置されるスピーカーの出力ホール；前記前面ケースと連通するように前記マイク収納溝に陥没形成され、前記マイクの入力端と隣接して配置されるマイク入力ホール；及び前記前面ケースの突出部の内側に密着して結合されるように前記ハウジング本体は前記前面ケースの突出部の内側に向かって長く突出形成されるイヤーセット用防音ハウジングを提供する。
【００１３】
前記ケース本体の内側と前記突出部の内側は互いに連通され、前記突出部の外側は開放された形状を有し、前記スピーカー出力ホール及び前記マイク入力ホールは前記突出部の外側に直接露出されることができる。
【００１４】
前記ハウジング本体は、第１防音ハウジング；及び前記第１防音ハウジングと着脱結合され、前記前面ケースの内側に装着される第２防音ハウジング；を含むことができる。
【００１５】
前記第１防音ハウジングと前記第２防音ハウジングは内部に流入される騒音を遮蔽するように、ゴムリング、ボンド、嵌合のうちの少なくともいずれか一つの手段を利用して互いに密閉されることができる。
【００１６】
前記のスピーカー出力ホールと接するように前記第２防音ハウジングに段差を有するように陥没形成され、前記スピーカー出力端から出力された信号を前記スピーカー出力ホールに案内する出力ガイド部と、をさらに含むことができる。
【００１７】
前記マイク入力ホールと接するように前記第２防音ハウジングに陥没形成され、前記マイク入力ホールから前記マイク入力端に入力される信号を案内する入力ガイド部と、をさらに含むことができる。
【００１８】
前記マイク入力ホールと接するように前記第２防音ハウジングに外側に突出するように形成され、前記マイク入力ホールから前記マイク入力端に入力される信号を案内する入力ガイド部と、をさらに含むことができる。
【００１９】
前記第２防音ハウジングに貫通形成され、前記マイク入力端の背面に信号が入力されるようにする少なくとも一つのバックホール；及び前記バックホールの内側または外側のうちの少なくともいずれか一つに段差を有するように、前記第２防音ハウジングに陥没形成されるバックホールガイド部；をさらに含むことができる。
【００２０】
前記スピーカー収納溝と前記マイク収納溝の断面は正方形、長方形、円形、楕円形のうちの少なくともいずれか一つの形状を含むことができる。
前記防音ハウジングには前記前面ケースとの結合方向を案内する表示部が形成されることができる。
【００２１】
一方、本発明は、ケース本体と、前記ケース本体から延長されて耳内に挿入される突出部を有する前面ケースの内側に装着されて、スピーカーが収納されるスピーカー収納溝とマイクが収納されるマイク収納溝が形成されたハウジング本体；前記前面ケースと連通するように前記スピーカー収納溝に陥没形成され、前記スピーカーの出力端と隣接するスピーカー出力ホール；前記前面ケースと連通するように前記マイク収納溝に陥没形成され、前記マイクの入力端と隣接するマイク入力ホール；及び前記スピーカー収納溝、前記マイク収納溝のうちの少なくともいずれか一つに段差を有するように陥没形成され、前記スピーカー出力ホールまたは前記マイク入力ホールを介して移動する信号を案内するガイド部と、を含むイヤーセット用防音ハウジングを提供する。
【００２２】
一方、本発明の有無線イヤーセットは、上述した特徴のうちのいずれか一つを備えるイヤーセット用防音ハウジングを備えることができる。
【００２３】
一方、本発明は、ケース本体と、前記ケース本体から延長されて耳内に挿入される突出部を有する前面ケース；前記前面ケースと着脱結合される背面ケース；前記背面ケースの内側に装着される第１防音ハウジング；及び前記第１防音ハウジングと着脱結合され、スピーカーが収納されるスピーカー収納溝とマイクが収納されるマイク収納溝が形成され、前記スピーカーの出力端が隣接して配置されるスピーカーの出力ホールと前記マイクの入力端と隣接して配置されるマイク入力ホールが形成される第２防音ハウジング；を含んで、前記第２防音ハウジングは前記前面ケースの前記突出部の内側に密着して結合されるように前記前面ケースの突出部の内側に装着され、前記前面ケースと前記背面ケース、または前記第１防音ハウジングと前記第２防音ハウジングは外部の騒音が流入されることを防止するようにゴムリング、ボンド、嵌合のうちの少なくともいずれか一つの手段を用いて互いに密閉される結合構造を有する有無線イヤーセットが提供される。
【００２４】
前記前面ケースの前記突出部は、前記マイク入力ホール及び前記スピーカー出力ホールに対応する貫通孔が形成されて、前記貫通孔に接する前記突出部に段差を有するように陥没形成され前記耳から入力される信号を案内する入力ガイド部と、をさらに含むことができる。
【００２５】
前記第２防音ハウジングに貫通形成され、前記マイク入力端の背面に信号が入力されるようにする少なくとも一つのバックホール；及び前記少なくとも一つのバックホールに対応するように、前記突出部に貫通形成される背面マイクホール；をさらに含み、前記入力ガイド部は前記背面マイクホールに接する前記突出部にも形成されることができる。
【００２６】
一方、本発明は、ケース本体と、前記ケース本体から延長されて耳内に挿入される突出部と、前記突出部の内側に形成されスピーカーが収納されるスピーカー収納溝と、マイクが収納されるマイク収納溝、前記スピーカーの出力端が隣接して配置されるスピーカー出力ホール、前記マイクの入力端と隣接して配置されるマイク入力ホールを備える前面ケース；及び前記前面ケースと着脱結合される背面ケース；を含む有無線イヤーセットが提供されることができる。
【発明の効果】
【００２７】
このように、本実施形態のイヤーセット用防音ハウジング及びこれを備えたイヤーセットによれば、外部の雑音の流入によるエコー現象及びハウリング現象を遮断することができ、スピーカーとマイクによる振動騒音の発生を減らし、音質を向上させることができる。
【００２８】
また、防音ハウジングの内部でスピーカー及びマイクをより簡単かつ迅速に装着することができ、防音ハウジングとケースとの組立性を改善して内部の密閉力を向上させることができる。
【００２９】
また、ハウジング本体をスピーカーが収納されるスピーカー収納溝が形成されたスピーカーハウジング部分と、マイクが収納されるマイク収納溝が形成されたマイクハウジング部分に分離して形成することにより、スピーカーの外形寸法を大きくすることができ、音声と音質の品質を向上させることができる効果がある。
【図面の簡単な説明】
【００３０】
【図１】従来の一実施形態に係る一体型イヤーセットの概略的な構成図である。
【図２】本発明の一実施形態に係るイヤーセットの分解斜視図である。
【図３】図２に図示された防音ハウジングを拡大した分解斜視図である。
【図４】図３の第２防音ハウジングの底面部の斜視図である。
【図５】図３の第２防音ハウジングを他の方向から見た斜視図である。
【図６】他の実施形態の第２防音ハウジングの底面部の斜視図である。
【図７】他の実施形態の第２防音ハウジングの斜視図である。
【図８】図２のイヤーセットが結合された状態の断面図である。
【図９】図８の要部拡大図である。
【図１０】本発明の他の実施形態によるイヤーセットの分解斜視図である。
【図１１】本発明の他の実施形態によるイヤーセットの分解斜視図である。
【図１２】図１１のハウジング本体と挿入突出部の背面形状を示す斜視図である。
【発明を実施するための形態】
【００３１】
以下、本発明の好ましい実施形態を添付の図面を参照して詳しく説明する。まず、各図面の構成要素に参照符号を付加することにおいて、同一の構成要素については、たとえ他の図面上に表示されても、可能な限り同一の符号を持つようにしていることに留意しなければならない。また、本発明を説明することにおいて、関連した公知の構成または機能に対する具体的な説明が本発明の要旨をぼやかすと判断される場合には、その詳細な説明は省略する。
【００３２】
本実施形態の説明に使用されたイヤーセットはスピーカーとマイクが一体に構成されて耳内に挿入される器具といい、音楽を聞くイヤホン、有線型イヤ−マイク、ブルートゥースヘッドセット、ワイファイヘッドセット（ＷｉＦｉ  ｈｅａｄｓｅｔ）、近距離無線通信ヘッドセット（ＮＦＣ  ｈｅａｄｓｅｔ）、バイナリＣＤＭＡヘッドセット（ｂｉｎａｒｙ  ＣＤＭＡ  ｈｅａｄｓｅｔ）などに適用することができる。
【００３３】
図２は、本発明の一実施形態に係るイヤーセットの分解斜視図である。
図２に示すように、本実施形態のイヤーセット１０は、背面ケース１００、前面ケース２００、防音ハウジング３００、イヤーパッド４００を含む有線イヤーセットで構成することができる。
【００３４】
背面ケース１００は、イヤーセット１０の外観を形成する部位としてケーブル６０（図７参照）が接続されることができ、ケーブル６０には外部機器と接続可能なコネクタ（図示せず）が結合されることができる。もちろん、無線イヤーセットの場合に背面ケース１００は、ブルートゥース本体と電気的および器具的に直接結合することもできる。
【００３５】
前面ケース２００は耳内に挿入される部分で、背面ケース１００と結合されてケースを形成することができる。前面ケース２００は、背面ケース１００と着脱結合されるケース本体２１０と、耳内に挿入されるようにケース本体２１０の外側に一定の長さで突出された突出部２２０を含むことができる。ケース本体２１０の内側と突出部２２０の内側は互いに連通することができる。つまり、前面ケース２１０と突出部２２０は貫通された一つの大きな穴を持つように一体に形成することができる。
【００３６】
背面ケース１００と前面ケース２００は、ゴムリング、ボンド、嵌合のうちの少なくともいずれか一つの手段を用いて互いに密閉されるように結合されることにより、外部の騒音がケースの内部に流入することを防止することができる。例えば、図２に示すように、背面ケース１００の縁の領域にはゴムリング５００の内側が挿入装着することができるリング装着溝１２０が形成され、前面ケース２００の結合面の内縁の領域にはゴムリング５００が装着されることができるリング密着溝（図示せず）が形成されることができる。
【００３７】
防音ハウジング３００は、第１防音ハウジング３０１と第２防音ハウジング３０２が結合された形で背面ケース１００の空間１１１と、前面ケース２００がなす空間内に装着されて、内部にはマイク４０とスピーカー３０などの音を送受信することができる部品が設けられる。
【００３８】
防音ハウジング３００は前面ケース２００または背面ケース１００を介して外部の雑音が流入して発生することができるエコー現象及びハウリング現象を遮断し、スピーカー３０とマイク４０による振動騒音の発生を減らし、音質を向上させることができる。これに対する詳細な説明は後述することにする。
【００３９】
イヤーパッド４００は前面ケース２００、すなわち、突出部２２０に装着されて前面ケース２００が耳内に容易に挿入されるようにする。イヤーパッド４００はシリコーンやゴムなどの弾性材料からなることができる。
【００４０】
イヤーパッド４００は、前面ケース２００と装着されるパッド本体４１０と、外部から耳内に騒音が流入することを遮断して耳内に伝わる音が外部に流出するのを防止するようにパッド本体４１０に形成された多数の遮音突起４１１を備えることができる。
【００４１】
また、遮音突起４１１は、耳内で摩擦力を向上させイヤーセット１０が外耳道に密着するようにすることにより、イヤーセット１０がよく抜けないので、運動中にも通話や音楽鑑賞を便利にすることができる。
【００４２】
図３は、図２に図示された防音ハウジングを拡大した分解斜視図であり、図４は図３の第２防音ハウジングの底面部の斜視図であり、図５は図３の第２防音ハウジングを他の方向から見た斜視図である。
【００４３】
図３に示すように、防音ハウジング３００は第１防音ハウジング３０１と、第１防音ハウジング３０１と着脱結合され前面ケース２００の内側に装着される第２防音ハウジング３０２で構成されることができる。
【００４４】
防音ハウジング３００は組み立ての容易性、外部からの騒音を遮断し内部から送受信される音の信号がユーザの外耳道に効率的に伝えられるように吸音材類、プラスチック類、ゴム類、シリコーン類からなることができる。
【００４５】
また、互いに組み立てられた第１防音ハウジング３０１と第２防音ハウジング３０２は、背面ケース１００及び前面ケース２００からの騒音が流入することを遮蔽することができるようにゴムリング、ボンド、嵌合のうちの少なくともいずれか一つの手段を用いて密閉することができる。例えば、図３に示すように、第１防音ハウジング３０１と第２防音ハウジング３０２の結合面の縁の領域には、ゴムリング（図示せず、図２の５００参照）を装着することができるリング装着溝３１１が形成されることができる。
【００４６】
第１防音ハウジング３０１と第２防音ハウジング３０２が形成する内側空間には、スピーカー３０（図８参照）とマイク４０（図８参照）が収納されて設けられ、そのために第２防音ハウジング３０２はハウジング本体３１０と、スピーカー３０が収納されるスピーカー収納溝３３０と、マイク４０が収納されるマイク収納溝３４０を形成することができる。
【００４７】
ここでスピーカー３０はさまざまな種類が使用されることができ、例えば、ダイナミックスピーカー３０に比べてより豊かな音声サポートと耐久性を有する密閉式磁気平衡型（Ｂａｌａｎｃｅｄ  ａｒｍａｔｕｒｅ  ｔｙｐｅ）スピーカー３０または圧電式スピーカーが使用されることができる。マイク４０もやはりさまざまな種類が使用されることができ、たとえばマイク入力端４１の背面に穴（ｈａｌｌ）のある指向性マイク４０が使用されることができる。
【００４８】
図４に示すように、スピーカー収納溝３３０はスピーカー３０が収納されるように、ハウジング本体３１０の中央に一定深さの陥没された形状を有することができる。スピーカー収納溝３３０にはスピーカー３０の出力端３１が隣接して配置されて、スピーカー収納溝３３０には前面ケース２００と連通するようにスピーカー出力ホール３３１が形成されることができる。
【００４９】
マイク収納溝３４０は、マイク４０が収納されるようにスピーカー収納溝３３０と離隔する位置で一定深さの陥没された形状を有することができる。マイク収納溝３４０にはマイク４０の入力端４１が隣接して配置されて、マイク収納溝３４０には前面ケース２００と連通するように一つのマイク入力ホール３４１が形成されることができる。
【００５０】
ここで図面に示したスピーカー収納溝３３０、スピーカー出力ホール３３１、マイク収納溝３４０、マイク入力ホール３４１は、例示的なものに過ぎず、必要に応じてその形状、方向、位置、数、大きさは適切に変形実施可能である。その一例として、必要に応じてスピーカー出力ホール３３１とマイク入力ホール３４１との間に遮断膜（図示せず）が設けられる。
【００５１】
このような構成を有する防音ハウジング３００は、スピーカー出力ホール３３１及びマイク入力ホール３４１を介して音を正確に送受信することができるように前面ケース２００の内部で適正な位置に装着すべきである。
【００５２】
たとえば、前面ケース２００の突出部２２０の外側２２１の縁には、音の送受信のためにスピーカー出力ホール３３１及びマイク入力ホール３４１に対応する貫通孔（図示せず）が形成され、外部からの雑音を遮断するように残りの領域は遮蔽することができる。この場合、防音ハウジング３００のスピーカー出力ホール３３１及びマイク入力ホール３４１を前面ケース２００の突出部２２０に形成された貫通孔ら（図示せず）に対応させる作業が非常に面倒なだけでなく、正確なマッチングが行われないおそれがある。
【００５３】
したがって、本実施形態の防音ハウジング３００は、前面ケース２００の突出部２２０の内側に密着して結合されるように、ハウジング本体３１０は前面ケース２００の突出部２２０の内側に向かって長く突出形成されることができる。例えば、図５に示すように、第２防音ハウジング３０２には前面ケース２００の突出部２２０の内側形状に対応するように挿入突出部３２０が形成されることができる。
【００５４】
第２防音ハウジング３０２の挿入突出部３２０の端部には、スピーカー出力ホール３３１及びマイク入力ホール３４１の端部が延長されるように配置することができる。したがって、第２防音ハウジング３０２が前面ケース２００に装着される場合、第２防音ハウジング３０２の挿入突出部３２０は前面ケース２００の突出部２２０の外側２２１の縁に形成された貫通孔（図示せず）に接近しながらスピーカー出力ホール３３１及びマイク入力ホール３４１を迅速に対応させることができる。
【００５５】
一方、前述した入力ガイド部は詳しく示さないが、防音ハウジング３００のみならず前面ケース２００にも備えることができる。
【００５６】
たとえば、入力ガイド部はマイク入力ホール３４１に対応する貫通孔（図示せず）に接するように、前面ケース２００の突出部２２０に段差を有するように陥没形成されて耳から入力される信号を案内することができる。ここで突出部２００に形成された貫通孔ら（図示せず）は、後述するバックホール３２２、３２３に対応する背面マイクホール（図示せず）を含むことができるので、入力ガイド部は背面マイクホールに接する突出部にも形成されることができる。
【００５７】
さらに、上述した挿入突出部３２０が形成されるように防音ハウジング３００を構成すると、前面ケース２００と第２防音ハウジング３０２のホールを一対一に対応させる必要がなくなるため、前面ケース２００の突出部２２０の外側２２１は貫通穴なし開放された形態でも製作が可能である。
【００５８】
つまり、前面ケース２００の突出部２２０に挿入された防音ハウジング３００の挿入突出部３２０の端部に位置するスピーカー出力ホール３３１及び前記マイク入力ホール３４１は前面ケース２００の突出部２２０の外側２２１に直接露出され、前述した形態の前面ケース２００の突出部２２０の外面の役割を果たす。したがって、前面ケース２００と第２防音ハウジング３０２をさらに簡単に組み立てることができる。
【００５９】
一方、防音ハウジング３００には前述した形態に加えて、前面ケース２００との結合方向を案内する表示部３５０が形成されることもできる。例えば、表示部３５０は、図５に示すように、防音ハウジング３００の側面に陥没した形状を持ったり、突出した突起や記号、文字などのマークが使用されることができる。もちろん、前面ケース２００にも防音ハウジング３００に備わった表示部３５０を一緒に持つこともできる。
【００６０】
したがって、表示部３５０によって防音ハウジング３００と前面ケース２００の結合を可視的に確認しながら組み立て時より簡単に互いを結合させることができる。
【００６１】
図６は他の実施形態の第２防音ハウジングの底面部の斜視図であり、図７は他の実施形態の第２防音ハウジングの斜視図であり、図８は図２のイヤーセット１０が結合された状態の断面図であり、図９は図８の要部拡大図である。
【００６２】
一方、防音ハウジング３００の内部に形成されたスピーカー収納溝３３０にスピーカー３０を装着して、マイク収納溝３４０にマイク４０を装着する場合は、スピーカー出力ホール３３１とマイク入力ホール３４１のそれぞれにはスピーカー３０の出力端３１とマイク４０の入力端４１が正しく位置するように配置すべきだ。
【００６３】
そのため、他の実施形態の第２防音ハウジング３０２ａには、スピーカー出力ホール３３１との段差を有するようにスピーカー収納溝３３０に段差を有するように陥没形成されてスピーカー出力端３１から出力された信号をスピーカー出力ホール３３１に案内する出力ガイド部３３０ａが形成されることができる。
【００６４】
たとえば、出力ガイド部３３０ａは、スピーカー出力ホール３３１の内側３３１ａに位置してスピーカー出力ホール３３１の外周領域を囲むように、一定深さの陥没された縁の形状の溝からなることができる。
そして、図７に示すように、出力ガイド部３３０ｂは第２防音ハウジング３０２ｂの出力ホール３３１を囲んで、外側に突出するように形成される。
【００６５】
したがって、出力ガイド部３３０ｂは、前面ケース２００の内側面（図示せず）と相互に密着してスピーカー出力による騒音を防止することができ、スピーカー出力を容易にすることができる。
さらに、前記出力ガイド部３３０ｂが前面ケースの内側面に密着するので容易に防水される。
【００６６】
また、マイク入力ホール３４１と段差を有するようにマイク収納溝３４０に陥没形成されてマイク入力端４１に入力される信号を案内する入力ガイド部３４０ａが形成されることができる。同様に、入力ガイド部３４０ａも出力ガイド部３３０ａのような形でマイク入力ホール３４１の内側３４１ａまたは外側３４１ｂに位置することができ、マイク入力ホール３４１の外周領域を囲むように、一定深さの陥没された縁の形状の溝で実施することができる。
もちろん、前述した出力ガイド部３３０ａ及び入力ガイド部３４０ａの形状、大きさ、深さなどは多様な形態に変形実施可能である。
【００６７】
一方、前述した実施形態の第２防音ハウジング３０２、３０２ａ、３０２ｂには、マイク入力端４１の背面に信号が入力されるようにする少なくとも一つのバックホール３３２、３３３と、バックホール３３２、３３３の内側３３２ａ、３３３ａまたは外側３３２ｂ、３３３ｂに段差を有するように陥没形成されるバックホールガイド部（図示せず）が形成されることができる。
【００６８】
バックホールガイド部も、前述した出力ガイド部３３０ａ及び入力ガイド部３４０ａのように実施されることができ、その形状、大きさ、深さなどは多様な形態に変形実施可能である。
【００６９】
このように防音ハウジング３００には出力ガイド部３３０ａ、入力ガイド部３４０ａ、バックホールガイド部などのガイド部が形成されることにより、防音ハウジング３００の内部にスピーカー３０とマイク４０を装着する場合は、穴が互いに正確に一致しなくても、ガイド部によって音を円滑に送受信することができるようになる。
【００７０】
図１０は本発明の他の実施形態によるイヤーセットの分解斜視図である。
図１０に示すように、本発明の他の実施形態によるイヤーセット１０ａは、前述した実施形態の有線型イヤーセット１０とは異なり、ブルートゥースの形態などの無線型イヤーセット１０ａであることができる。本実施形態のイヤーセット１０ａも背面ケース１００ａ、前面ケース２００ａ、防音ハウジング３００、イヤーパッド４００ａを含んで構成されることができ、詳細な説明は前述した通りであるので省略する。
【００７１】
一方、前述した本実施形態のイヤーセットは防音ハウジング３００にスピーカー収納溝３３０、マイク収納溝３４０、マイク入力ホール３４１、スピーカー出力ホール３３１、バックホール３３２、３３３が形成された形態を有していた。つまり、防音ハウジング３００は第１防音ハウジング３０１と第２防音ハウジング３０２からなって、第２防音ハウジング３０２は上述したスピーカー収納溝３３０、マイク収納溝３４０、マイク入力ホール３４１、スピーカー出力ホール３３１、バックホール３３２、３３３が形成された。
【００７２】
しかし、本発明の他の実施形態として、部品の数を削減しながら、製品の単価を下げることができように、第２防音ハウジング３０２に当該する構成を前面ケース２００の内部に直接具現することができる。
【００７３】
たとえば、詳しく示さなかったが、前面ケース２００の突出部２２０の内側には、前述した第２防音ハウジング３０２と同様に、スピーカー３０が収納されるスピーカー収納溝（図示せず）と、マイク４０が収納されるマイク収納溝（図示せず）と、スピーカー３０の出力端３１が隣接して配置されるスピーカー出力ホール（図示せず）と、マイク４０の入力端４１と隣接して配置されるマイク入力ホール３４１と、マイク入力端４１の背面に信号が入力されるようにする少なくとも一つのバックホール（図示せず）が形成されることができる。
【００７４】
ここで同様に前面ケース２００の突出部２２０には、前述した第２防音ハウジング３０２に具現された構成要素、すなわち、スピーカー出力端３１から出力された信号をスピーカー出力ホール３３１に案内する出力ガイド部（図示せず）と、マイク入力ホール３４１からマイク入力端４１に入力される信号を案内する入力ガイド部（図示せず）と、バックホールを介してマイクの背面に信号を案内するバックホールガイド部（図示せず）が形成されることができる。
【００７５】
このとき、入力ガイド部、出力ガイド部、バックホールガイド部、前述した実施形態と同様に、前面ケース２００の突出部２２０に段差を有するように陥没した形状を有することができる。
一方、図１１は本発明の他の実施形態に係るイヤーセットの分解斜視図であり、図１２は図１１でハウジング本体と挿入突出部の背面形状を示す斜視図である。
【００７６】
添付する図１１及び図１２によれば、本実施形態のイヤーセット１０ｂも背面ケース１００ｂ、前面ケース２００ｂ、防音ハウジング３００、イヤーパッド４００ｂを含んで構成されることができ、詳細な説明は前述した通りであるので省略する。
【００７７】
前記防音ハウジング３００は、図３で説明したように、第１防音ハウジング３０１と第２防音ハウジング３０２が結合された形で背面ケース１００ｂと前面ケース２００ｂがなす空間内に装着される。
【００７８】
前記第２防音ハウジング３０２はハウジング本体３１０と挿入突出部３２０に分離して形成される。前記のような分離構成を有する理由は、スピーカーとマイク一体型構造で、スピーカーとマイクを一つの防音ハウジングに収納するためにスピーカー３０が収納されるスピーカー収納溝と、マイク４０が収納されるマイク収納溝が形成されるとき、スピーカーの外形の大きさが制限されて出力される音が小さくなることができ、それに応じて音声と音質の品質低下が発生するという問題点があるからである。
【００７９】
つまり、本実施形態では、スピーカー収納溝とマイク収納溝を別個の区分された防音ハウジングに構成することで、スピーカー収納溝はスピーカー３０が収納されるように、ハウジング本体３１０の背面に一定深さの陥没した形状に形成され、マイク収納溝はマイク４０が収納されるように挿入突出部３２０の背面に一定深さの陥没した形状に形成される。
【００８０】
前記ハウジング本体３１０と挿入突出部３２０はシリコーン、ゴムまたは合成樹脂の材質からなり、スピーカー３０とマイク４０などの内部に装着される付属品の設置を容易にし、外部からの流入する騒音を遮断するとともに、ケースの外部に音が漏れることを防止する機能を行うことになる。
【００８１】
前記ハウジング本体３１０には、スピーカー３０を収納するためのスピーカー収納溝が形成されており、スピーカー３０で発生する音を耳内に伝達するために、前記スピーカー収納溝から前面側に１つの大きな穴が形成され、マイクの電源線またはマイクの出力線が通過する１つの小さな穴がスピーカー収納溝に形成することができる。このとき、穴の形状、大きさ、数、位置などはさまざまな変更が可能である。
【００８２】
前記挿入突出部３２０には、マイク４０を収納するためのマイク収納溝が形成されており、スピーカー３０で発生する音を耳内に伝達するために前記ハウジング本体３１０の大きな穴と連通される１つの大きな穴が形成され、耳内から伝達された音をマイク４０に伝達するための２つの小さな穴が形成される。もちろん、上述のように、伝達される穴の形状、大きさ、数、位置などはさまざまな変更が可能であることは自明である。
前記ハウジング本体３１０と挿入突出部３２０の側面にはそれぞれ、ケースとの組立のための溝が形成されている。
【００８３】
このように、本実施形態のイヤーセット用防音ハウジング及びこれを備えるイヤーセットによれば、外部の雑音の流入によるエコー現象及びハウリング現象を遮断することができ、スピーカーとマイクによる振動騒音の発生を減らし、音質を向上させることができる。
【００８４】
また、防音ハウジングの内部でスピーカー及びマイクをより速く、より簡単に設置することができ、防音ハウジングとケースとの組立性を向上させ、内部の密閉力を向上させることができる。
【００８５】
以上の説明は、本発明の技術思想を例示的に説明したものに過ぎないものであって、本発明の属する技術分野で通常の知識を有する者であれば、本発明の本質的な特性から逸脱しない範囲で多様な修正及び変形が可能である。したがって、本発明に開示された実施形態は、本発明の技術思想を限定するためのものではなく説明するためのものであり、これらの実施形態により本発明の技術思想の範囲が限定されるものではない。本発明の保護範囲は以下の請求の範囲によって解釈されるべきであり、それに相当する範囲内にあるすべての技術思想は本発明の権利範囲に含まれるものと解釈されるべきである。
【符号の説明】
【００８６】
１０、１０ａ：イヤーセット
３０：スピーカー
３１：  出力端
４０：マイク
４１：入力端
６０：ケーブル
１００：背面ケース
２００：前面ケース
２１０：ケース本体
２２０：突出部
３００：防音ハウジング
３０１：第１防音ハウジング
３０２：第２防音ハウジング
３１０：ハウジング本体
３２０：挿入突出部
３３０：スピーカー収納溝
３３０ａ，３３０ｂ：  出力ガイド部
３３１：スピーカー出力ホール
３３２，３３３：バックホール
３４０：マイク収納溝
３４０ａ：入力ガイド部
３４１：マイク入力ホール
３５０：表示部
４００：イヤーパッド
４１０：パッド本体
【図１】
2015511805.tif 000003
【図２】
2015511805.tif 000004
【図３】
2015511805.tif 000005
【図４】
2015511805.tif 000006
【図５】
2015511805.tif 000007
【図６】
2015511805.tif 000008
【図７】
2015511805.tif 000009
【図８】
2015511805.tif 000010
【図９】
2015511805.tif 000011
【図１０】
2015511805.tif 000012
【図１１】
2015511805.tif 000013
【図１２】
2015511805.tif 000014
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
ケース本体と、前記ケース本体から延長されて耳内に挿入される突出部を有する前面ケースの内側に装着されて、スピーカーが収納されるスピーカー収納溝とマイクが収納されるマイク収納溝が形成されたハウジング本体；
前記前面ケースと連通するように前記スピーカー収納溝に貫通形成され、前記スピーカーの出力端が隣接して配置されるスピーカーの出力ホール；
前記前面ケースと連通するように前記マイク収納溝に陥没形成され、前記マイクの入力端と隣接して配置されるマイク入力ホール；及び
前記前面ケースの突出部の内側に密着して結合されるように前記ハウジング本体は前記前面ケースの突出部の内側に向かって長く突出形成されるイヤーセット用防音ハウジング。
【請求項２】
前記ケース本体の内側と前記突出部の内側は互いに連通しされ、前記突出部の外側は開放された形状を有し、前記スピーカー出力ホール及び前記マイク入力ホールは前記突出部の外側に直接露出される、請求項１に記載のイヤーセット用防音ハウジング。
【請求項３】
前記ハウジング本体は、
第１防音ハウジング；及び
前記第１防音ハウジングと着脱結合され、前記前面ケースの内側に装着される第２防音ハウジング；を含む、請求項１に記載のイヤーセット用防音ハウジング。
【請求項４】
前記のスピーカー出力ホールと接するように前記第２防音ハウジングに段差を有するように陥没形成され、前記スピーカー出力端から出力された信号を前記スピーカー出力ホールに案内する出力ガイド部と、をさらに含む、請求項３に記載のイヤーセット用防音ハウジング。
【請求項５】
前記マイク入力ホールと接するように前記第２防音ハウジングに陥没形成され、前記マイク入力ホールから前記マイク入力端に入力される信号を案内する入力ガイド部と、をさらに含む、請求項３に記載のイヤーセット用防音ハウジング。
【請求項６】
前記マイク入力ホールと接するように前記第２防音ハウジングに外側に突出するように形成され、前記マイク入力ホールから前記マイク入力端に入力される信号を案内する入力ガイド部と、をさらに含む、請求項３に記載のイヤーセット用防音ハウジング。
【請求項７】
前記第２防音ハウジングに貫通形成され、前記マイク入力端の背面に信号が入力されるようにする少なくとも一つのバックホール；及び
前記バックホールの内側または外側のうちの少なくともいずれか一つに段差を有するように、前記第２防音ハウジングに陥没形成されるバックホールガイド部；をさらに含む、請求項３に記載のイヤーセット用防音ハウジング。
【請求項８】
ケース本体と、前記ケース本体から延長されて、耳内に挿入される突出部を有する前面ケースの内側に装着されてスピーカーが収納されるスピーカー収納溝とマイクが収納されるマイク収納溝が形成されたハウジング本体を含むイヤーセット用防音ハウジングにおいて、
前記ハウジング本体には、前記前面ケースと連通するように前記スピーカー収納溝に貫通形成され、前記スピーカーの出力端が隣接して配置されるスピーカーの出力ホール；及び前記前面ケースと連通するように前記マイク収納溝に陥没形成され、前記マイクの入力端と隣接して配置されるマイク入力ホール；が備わって、
前記ハウジング本体は、前記前面ケースの突出部の内側に密着して結合されるように前記前面ケースの突出部の内側に向かって長く突出形成され、スピーカーが収納されるスピーカー収納溝が形成されたスピーカーハウジング部分と、マイクが収納されるマイク収納溝が形成されたマイクハウジング部分が分離して形成されるイヤーセット用防音ハウジング。
【請求項９】
前記防音ハウジングには前記前面ケースとの結合方向を案内する表示部が形成される、請求項１乃至請求項８のうちのいずれか一項に記載のイヤーセット用防音ハウジング。
【請求項１０】
ケース本体と、前記ケース本体から延長され耳内に挿入される突出部を有する前面ケースの内側に装着されて、スピーカーが収納されるスピーカー収納溝とマイクが収納されるマイク収納溝が形成されたハウジング本体；  
前記前面ケースと連通するように前記スピーカー収納溝に陥没形成され、前記スピーカーの出力が隣接するスピーカー出力ホール；
前記前面ケースと連通するように前記マイク収納溝に陥没形成され、前記マイクの入力端と隣接するマイク入力ホール；及び
前記のスピーカー収納ホーム、前記マイク収納ホームのうちの少なくともいずれか一つに段差を有するように陥没形成され前記スピーカー出力ホールまたは前記マイク入力ホールを介して移動する信号を案内するガイド部と、を含むイヤーセット用防音ハウジング。
【請求項１１】
前記ハウジング本体は、スピーカーが収納されるスピーカー収納溝が形成されたスピーカーハウジング部分と、マイクが収納されるマイク収納溝が形成されたマイクハウジング部分が分離して形成される、請求項１０に記載のイヤーセット用防音ハウジング。
【請求項１２】
ケース本体と、前記ケース本体から延長されて耳内に挿入される突出部を有する前面ケース；
前記前面ケースと着脱結合される背面ケース；
前記背面ケースの内側に装着される第１防音ハウジング；及び
前記第１防音ハウジングと着脱結合され、スピーカーが収納されるスピーカー収納溝とマイクが収納されるマイク収納溝が形成され、前記スピーカーの出力端が隣接して配置されるスピーカーの出力ホールと前記マイクの入力端と隣接して配置されるマイク入力ホールが形成される第２防音ハウジング；を含んで、
前記第２防音ハウジングは、前記前面ケースの前記突出部の内側に密着して結合されるように前記前面ケースの突出部の内側に装着され、前記前面ケースと前記背面ケース、または前記第１防音ハウジングと前記第２防音ハウジングは外部の騒音が流入されることを防止するようにゴムリング、ボンド、嵌合のうちの少なくともいずれか一つの手段を用いて互いに密閉される有無線イヤーセット。
【請求項１３】
前記前面ケースの前記突出部は前記マイク入力ホール及び前記スピーカー出力ホールに対応する貫通孔が形成されて、
前記貫通孔に接する前記突出部に段差を有するように陥没形成され、前記耳から入力される信号を案内する入力ガイド部をさらに含む、請求項１２に記載の有無線イヤーセット。
【請求項１４】
前記第２防音ハウジングに貫通形成され、前記マイク入力端の背面に信号が入力されるようにする少なくとも一つのバックホール；及び
前記少なくとも一つのバックホールに対応するように、前記突出部に貫通形成される背面マイクホール；をさらに含み、
前記入力ガイド部は前記背面マイクホールに接する前記突出部にも形成される、請求項１３に記載の有無線イヤーセット。
【請求項１５】
ケース本体と、前記ケース本体から延長されて耳内に挿入される突出部と、前記突出部の内側に形成されスピーカーが収納されるスピーカー収納溝と、マイクが収納されるマイク収納溝、前記スピーカーの出力端が隣接して配置されるスピーカー出力ホール、前記マイクの入力端と隣接して配置されるマイク入力ホールを備える前面ケース；及び
前記前面ケースと着脱結合される背面ケース；を含む有無線イヤーセット。
【国際調査報告】
2015511805.tif 000015
2015511805.tif 000016
2015511805.tif 000017
2015511805.tif 000018